(57)【要約】【課題】無線通信システムのページング状態に入ったＵＥ（ユーザー端末）において、待ち行列機能にページング受信機能を導入する方法及び装置を提供する。【解決手段】本発明による方法は、セル更新プロセスによりＲＲＣ（無線資源制御）に対応するページング状態と待ち行列機能の待ち状態に進入した場合に、当該ページング状態に対応する動作を実行する段階を含む。【選択図】図４
2009065662.tif 000002
【特許請求の範囲】
【請求項１】
無線通信システムのＵＥ（ユーザー端末）において待ち行列機能にページング受信機能を導入する方法であって、
セル更新プロセスによりＲＲＣ（無線資源制御）に対応するページング状態と待ち行列機能の待ち状態に進入した場合に、当該ページング状態に対応する動作を実行する段階を含む、待ち行列機能にページング受信機能を導入する方法。
【請求項２】
前記セル更新プロセスによりＲＲＣに対応するページング状態と待ち行列機能の待ち状態に進入する段階は、「周波数情報」ＩＥ（情報要素）で示される周波数層に基づいて特定のセルを選ぶ段階と、セル更新プロセスのセル更新確認メッセージの「ＲＲＣ指示」ＩＥに基づいてＲＲＣに対応するページング状態に進入する段階と、セル更新確認メッセージの「待ち時間」ＩＥに基づいて待ち行列機能の待ち状態に進入する段階とを含む、請求項１に記載の待ち行列機能にページング受信機能を導入する方法。
【請求項３】
前記ＲＲＣに対応するページング状態はＣＥＬＬ＿ＰＣＨ（セルページングチャネル）状態またはＵＲＡ＿ＰＣＨ（ＵＴＲＡＮ登録領域ページングチャネル）状態である、請求項１に記載の待ち行列機能にページング受信機能を導入する方法。
【請求項４】
前記ページング受信機能に対応する動作は、
選ばれた特定セルでブロードキャストされるシステム情報に基づいて、ページングメッセージ受信用の制御チャネルを選択することと、
セル更新確認メッセージで運ばれるＩＥに基づいて不連続受信（ＤＲＸ）機能のサイクル周期を定めることを含む、請求項１に記載の待ち行列機能にページング受信機能を導入する方法。
【請求項５】
前記制御チャネルは副次共通制御物理チャネル（Ｓｅｃｏｎｄａｒｙ  ＣＣＰＣＨ）または高速物理ダウンリンク共用チャネル（ＨＳ−ＰＤＳＣＨ）である、請求項４に記載の待ち行列機能にページング受信機能を導入する方法。
【請求項６】
前記ＤＲＸ機能のサイクル周期は「ＵＴＲＡＮ  ＤＲＸサイクル長係数」ＩＥに基づいて設定される、請求項４に記載の待ち行列機能にページング受信機能を導入する方法。
【請求項７】
無線通信システムにおいて待ち行列機能にページング受信機能を導入し、着信ページングサービスの継続性を確保するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
セル更新プロセスによりＲＲＣに対応するページング状態と待ち行列機能の待ち状態に進入した場合に、当該ページング状態に対応する動作を実行するコードを含む、通信装置。
【請求項８】
前記セル更新プロセスによりＲＲＣに対応するページング状態と待ち行列機能の待ち状態に進入するコードは、「周波数情報」ＩＥで示される周波数層に基づいて特定のセルを選ぶコードと、セル更新プロセスのセル更新確認メッセージの「ＲＲＣ指示」ＩＥに基づいてＲＲＣに対応するページング状態に進入するコードと、セル更新確認メッセージの「待ち時間」ＩＥに基づいて待ち行列機能の待ち状態に進入するコードとを含む、請求項７に記載の通信装置。
【請求項９】
前記ＲＲＣに対応するページング状態はＣＥＬＬ＿ＰＣＨ状態またはＵＲＡ＿ＰＣＨ状態である、請求項７に記載の通信装置。
【請求項１０】
前記ページング受信機能に対応する動作は、
選ばれた特定セルでブロードキャストされるシステム情報に基づいて、ページングメッセージ受信用の制御チャネルを選択することと、
セル更新確認メッセージで運ばれるＩＥに基づいてＤＲＸ機能のサイクル周期を定めることを含む、請求項７に記載の通信装置。
【請求項１１】
前記制御チャネルは副次ＣＣＰＣＨまたはＨＳ−ＰＤＳＣＨである、請求項１０に記載の通信装置。
【請求項１２】
前記ＤＲＸ機能のサイクル周期は「ＵＴＲＡＮ  ＤＲＸサイクル長係数」ＩＥに基づいて設定される、請求項１０に記載の通信装置。
【発明の詳細な説明】
【技術分野】
【０００１】
本発明は無線通信システムにページング受信機能を導入する方法及び装置に関し、特に無線通信システムの待ち行列機能にページング受信機能を導入する方法及び装置に関する。
【背景技術】
【０００２】
第三世代移動通信技術はＷＣＤＭＡ（広帯域時分割多元接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。
【０００３】
ＵＭＴＳ（ユニバーサル・モバイル・テレコミュニケーション・システム）を例にすれば、第三世代移動通信システムはＵＥ（ユーザー端末）と、ＵＴＲＡＮ（ＵＭＴＳ地上無線アクセスネットワーク）と、コアネットワーク（ＣＮ）を含み、所用のプロトコルはＡＳ（アクセスストラタム）とＮＡＳ（ノンアクセスストラタム）を含む。ＡＳはＲＲＣ（無線資源制御）、ＲＬＣ（無線リンク制御）、ＭＡＣ（媒体アクセス制御）、ＰＤＣＰ（パケットデータコンバージェンスプロトコル）、ＢＭＣ（ブロードキャスト／マルチキャスト制御）など機能の異なる複数の副層を含む。各副層の動作については当業者に周知のため、ここで説明を省略する。
【０００４】
ＲＲＣは第三層通信プロトコルに属し、ＡＳの通信プロトコルの核心である。無線資源メッセージ交換、無線資源設定制御、ＱｏＳ制御、チャネル伝送フォーマット設定制御、パケット割当再配置処理制御、ないしＮＡＳプロトコル伝送処理は、いずれもＲＲＣ層で行われる。ＲＲＣ層はＲＲＣプロセスでＵＥとネットワーク（ＵＴＲＡＮ）の間にＲＲＣメッセージを交換する。ＲＲＣメッセージは複数の情報要素（ＩＥ）から構成され、第二層プロトコル（ＲＬＣ、ＭＡＣ）と第一層プロトコル（物理層）のプロトコルエンティティーを設定、変更、解放するために必要な情報を運び、データパケットを交換するためにデータ交換チャネルを確立、調整または取り消す。
【０００５】
３ＧＰＰ（第三世代パートナーシッププロジェクト）が制定したＲＲＣプロトコル仕様によれば、ＲＲＣプロセスはセル更新プロセスを含む。セル更新プロセスは一般にＵＥにより起動され、移動状況をネットワークに通報する。セル更新プロセスのＲＲＣメッセージ交換では、まずＵＥがセル更新メッセージをネットワークに送信し、後にネットワークがセル更新確認メッセージを返送し、最後にＵＥがこのメッセージの内容に基づいて無線ベアラの再設定または解放、移動情報の更新、またはトランスポートチャネルのリセットを実行する。
【０００６】
セル更新プロセスは、特定のサービス周波数層が混雑している場合に、ＵＥを他の周波数層に移動し、一定時間を待ってからセル更新プロセスを再起動するための待ち行列機能を含み、その動作については以下に説明する。ＵＥでセル更新プロセスが起動されると、ＵＥはセル更新メッセージをネットワークに送信し、ネットワークはこのセル更新メッセージに「周波数情報（Ｆｒｅｑｕｅｎｃｙ  ｉｎｆｏ）」と「待ち時間（ｗａｉｔ  ｔｉｍｅ）」というＩＥを組み入れ、待ち行列機能を実行するようにＵＥに指示する。また、セル更新確認メッセージは更に、ＣＥＬＬ＿ＰＣＨ（セルページングチャネル）、ＵＲＡ＿ＰＣＨ（ＵＴＲＡＮ登録領域ページングチャネル）、ＣＥＬＬ＿ＦＡＣＨ（セルフォワードアクセスチャネル）、またはＣＥＬＬ＿ＤＣＨ（セル専用チャネル）などのＲＲＣ状態のいずれかに進入するように指示するための「ＲＲＣ指示」ＩＥを含む。
【０００７】
「ＲＲＣ指示」ＩＥがＣＥＬＬ＿ＰＣＨ状態またはＵＲＡ＿ＰＣＨ状態に進入するようにＵＥに指示し、セル更新確認メッセージが「待ち時間」ＩＥを含んだ場合では、ＣＥＬＬ＿ＰＣＨ状態のＵＥは、「周波数情報」ＩＥにより示される周波数層に基づいて特定のセルを選び、ＵＲＡ＿ＰＣＨ状態のＵＥは、この示される周波数層に基づいて特定のＵＲＡのセルを選ぶ。また、ＵＥは「待ち時間」ＩＥに基づいて、移動先の周波数層で待ち状態に入って、所定時間を待ってから新たなセル更新メッセージを再送する。
【０００８】
待ち状態に入ったＵＥは、選ばれたセルでブロードキャストされるシステム情報に基づいてページングメッセージ受信用の制御チャネルを選択せず、セル更新確認メッセージで運ばれるＩＥに基づいて不連続受信（ＤＲＸ）機能のサイクル周期（ｃｙｃｌｅ  ｐｅｒｉｏｄ）も定めない。これらの動作はいずれもＭＴ呼（ｍｏｂｉｌｅ  ｔｅｒｍｉｎａｔｅｄ  ｃａｌｌ、着信呼）サービスのページング受信機能に関係する。したがって、ＵＲＡ＿ＰＣＨ状態に入ったＵＥはページングメッセージを受信できない。言い換えれば、待ち状態のＵＥはＭＴ呼サービスを利用できない。この待ち状態の有効時間は最長１５秒なので、ＵＥはそれによって着信を逃しうる。
【発明の開示】
【発明が解決しようとする課題】
【０００９】
本発明は無線通信システムのページング状態に入ったＵＥにおいて、待ち行列機能にページング受信機能を導入する方法及び装置を提供する。
【課題を解決するための手段】
【００１０】
本発明では、無線通信システムのＵＥ（ユーザー端末）において待ち行列機能にページング受信機能を導入する方法を開示する。当該方法は、セル更新プロセスによりＲＲＣ（無線資源制御）に対応するページング状態と待ち行列機能の待ち状態に進入した場合に、当該ページング状態に対応する動作を実行する段階を含む。
【００１１】
本発明では更に、無線通信システムにおいて待ち行列機能にページング受信機能を導入し、着信ページングサービスの継続性を確保するための通信装置を開示する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、セル更新プロセスによりＲＲＣに対応するページング状態と待ち行列機能の待ち状態に進入した場合に、当該ページング状態に対応する動作を実行するコードを含む。
【発明を実施するための最良の形態】
【００１２】
かかる方法及び装置の特徴を詳述するために、具体的な実施例を挙げ、図示を参照して以下に説明する。
【００１３】
図１を参照する。図１は無線通信システム１０を表す説明図である。無線通信システム１０は望ましくは第三世代移動通信システムであり、概してネットワークと複数のＵＥを含む。図１に示すネットワークとＵＥは無線通信システム１０の構造を説明するに用いられ、実際、ネットワークは要求に応じて複数の基地局、ＲＮＣ（無線ネットワークコントローラー）を含み、ＵＥは携帯電話またはコンピュータシステムなどの装置であることが可能である。
【００１４】
図２を参照する。図２は無線通信装置１００のブロック図である。無線通信装置１００は図１に示すＵＥまたはネットワークを実施するものである。説明を簡潔にするために、図２では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実施する。
【００１５】
図３を参照する。図３は図２に示すプログラムコード１１２を表す説明図である。プログラムコード１１２はアプリケーション層２００と、第三層２０２と、第一層２１８に接続される第二層２０６を含む。第三層２０２に設けられるＲＲＣエンティティー２２２は、ＲＲＣメッセージとＩＥに基づいて第一層２１８と第二層２０６を制御し、ＲＲＣプロセスを通して他の無線通信装置とシグナリングを交換する。ＲＲＣエンティティー２２２はネットワークから送信されたシグナリングに基づいて、無線通信装置１００をＣＥＬＬ＿ＰＣＨ、ＵＲＡ＿ＰＣＨ、ＣＥＬＬ＿ＦＡＣＨ、ＣＥＬＬ＿ＤＣＨなどの状態に切り替える。そのうち、ＣＥＬＬ＿ＰＣＨ、ＵＲＡ＿ＰＣＨ状態はページング状態であり、ページング状態の無線通信装置１００は着信ページングを受信することができる。
【００１６】
無線通信システム１０でセル更新プロセスを起動し、ネットワークに対して更新シグナリングパラメータと機能構成を要求した場合、ネットワークはセル更新確認メッセージで、待ち行列機能を実行するように無線通信装置１００に指示する。それに鑑みて、本発明の実施例はＵＥで着信を逃すのを防止するために、ページング受信機能導入プログラムコード２２０を提供する。図４を参照する。図４は本発明の実施例による方法４０を表す説明図である。下記方法４０は無線通信システム１０のＵＥの待ち行列機能にページング受信機能を導入するのに用いられ、ページング受信機能導入プログラムコード２２０としてコンパイルすることができる。
【００１７】
ステップ４００：開始。
ステップ４０２：セル更新プロセスによりＲＲＣに対応するページング状態と待ち行列機能の待ち状態に進入した場合に、当該ページング状態に対応する動作を実行する。
ステップ４０４：終了。
【００１８】
以上のように、本発明の実施例では、セル更新プロセスによりページング状態と待ち状態に進入したＵＥにページング受信の動作を実行させ、着信ページングサービスを起動する。
【００１９】
例えば、ＵＥはセル更新メッセージを送信してセル更新プロセスを起動し、ネットワークに対してシグナリングパラメータと機能構成を更新するように求める。セル更新メッセージに答えるために、ネットワークは返送のセル更新メッセージに「周波数情報」、「待ち時間」、「ＲＲＣ指示」ＩＥを組み入れる。前記方法４０によれば、「周波数情報」ＩＥにより示される周波数層に基づいて特定のセルを選択し、「待ち時間」ＩＥに基づいて待ち状態に進入し、かつ「ＲＲＣ指示」ＩＥに基づいてＣＥＬＬ＿ＰＣＨ状態またはＵＲＡ＿ＰＣＨ状態に入った場合、ＵＥはページング受信機能に対応する動作を実行する。当該動作は、選ばれた特定のセルでブロードキャストされるシステム情報に基づいてページングメッセージ受信用の制御チャネルを選択することと、セル更新確認メッセージで運ばれるＩＥに基づいてＤＲＸ機能のサイクル周期を定め、着信ページングサービスを起動することを含む。望ましくは、前記制御チャネルは副次共通制御物理チャネル（Ｓｅｃｏｎｄａｒｙ  ＣＣＰＣＨ）または高速物理ダウンリンク共用チャネル（ＨＳ−ＰＤＳＣＨ）であり、ＤＲＸ機能のサイクル周期は「ＵＴＲＡＮ  ＤＲＸサイクル長係数（ＵＴＲＡＮ  ＤＲＸ  ｃｙｃｌｅ  ｌｅｎｇｔｈ  ｃｏｅｆｆｉｃｉｅｎｔ）」ＩＥに基づいて設定される。
【００２０】
まとめて言えば、本発明の実施例では、ＣＥＬＬ＿ＰＣＨまたはＵＲＡ＿ＰＣＨ状態に入ったＵＥにページング受信機能を実行させ、着信を逃すことを防止することができる。
【００２１】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２２】
【図１】無線通信システムを表す説明図である。
【図２】無線通信装置のブロック図である。
【図３】図２に示すプログラムコードを表す説明図である。
【図４】本発明の実施例による方法を表す説明図である。
【符号の説明】
【００２３】
１０  無線通信システム
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  ページング受信機能導入プログラムコード
２２２  ＲＲＣエンティティー
【図１】
2009065662.tif 000003
【図２】
2009065662.tif 000004
【図３】
2009065662.tif 000005
【図４】
2009065662.tif 000006